(57)【要約】【課題】迅速に且つ良好な画質にてストライプの画像記録を行うことを可能とする。【解決手段】記録スポット列の副走査方向記録幅をＷＬ、ストライプ形状の副走査方向幅をＷＰ、ストライプパターンの副走査方向ピッチをＰＰとしたときに、例えばＷＬ＜ＷＰの場合、主走査方向記録後の次回の主走査方向記録時に、記録スポット列Ｓｐに対するストライプ形状の記録データがないときに、次のストライプ形状の副走査記録方向上流端に前端記録スポットＳｐ１を合わせて記録して、全く記録を行わない無駄な主走査動作をなくすようにした。【選択図】  図１９
2004167995.tif 000002
【特許請求の範囲】
【請求項１】
複数の記録スポットで記録する記録ヘッドを、記録媒体に対し、記録方向に略平行な主走査方向とこれと直交する副走査方向へ相対移動して、前記主走査方向を長軸とするストライプパターンを前記記録媒体に記録する画像記録方法であって、
前記記録ヘッドの記録スポット列による副走査方向記録幅をＷＬ、ストライプ形状の副走査方向幅をＷＰとしたときに、
ＷＬ＜ＷＰの場合は、
主走査方向記録後の次回の主走査方向記録時に、前記記録スポット列に対するストライプ形状の記録データがないときに、次に記録するストライプ形状の副走査記録方向上流端に前記記録スポット列の副走査記録方向上流側の前端記録スポットを位置合わせして、主走査方向に記録することを特徴とする画像記録方法。
【請求項２】
複数の記録スポットで記録する記録ヘッドを、記録媒体に対し、記録方向に略平行な主走査方向とこれと直交する副走査方向へ相対移動して、前記主走査方向を長軸とするストライプパターンを前記記録媒体に記録する画像記録方法であって、
前記記録ヘッドの記録スポット列による副走査方向記録幅をＷＬ、ストライプ形状の副走査方向幅をＷＰ、ストライプパターンの副走査方向ピッチをＰＰとしたときに、
ＷＰ≦ＷＬ≦ＰＰの場合は、
主走査方向記録後の次回の主走査方向記録時に、副走査記録方向の上流側の記録スポットに対するストライプ形状の記録データがないときに、次に記録するストライプ形状の副走査記録方向上流端に前記記録スポット列の副走査記録方向上流側の前端記録スポットを位置合わせして、主走査方向に記録することを特徴とする画像記録方法。
【請求項３】
前記記録スポット列の副走査記録方向の記録ピッチが、ストライプパターンの副走査方向ピッチに等しいことを特徴とする請求項２記載の画像記録方法。
【請求項４】
複数の記録スポットで記録する記録ヘッドを、記録媒体に対し、記録方向に略平行な主走査方向とこれと直交する副走査方向へ相対移動して、前記主走査方向を長軸とするストライプパターンを前記記録媒体に記録する画像記録方法であって、
前記記録ヘッドの記録スポット列による副走査方向記録幅をＷＬ、ストライプパターンの副走査方向ピッチをＰＰとしたときに、
ＰＰ＜ＷＬの場合は、
副走査記録方向下流側の後端記録スポットにストライプ形状の記録データがあり、且つ、副走査記録方向上流側の前端記録スポットと前記後端記録スポットとの間にストライプ形状の記録データのない領域が存在するときに、前記後端記録スポットの記録データに対応するストライプ形状を記録しないことを特徴とする画像記録方法。
【請求項５】
前記記録スポット列の副走査記録方向の記録ピッチが、ストライプパターンの副走査方向ピッチの正の整数倍に等しいことを特徴とする請求項４記載の画像記録方法。
【発明の詳細な説明】
【０００１】
【発明の属する技術分野】
本発明は、複数の記録スポットで記録する記録ヘッドによりストライプ形状のパターンを形成する画像記録方法に関する。
【０００２】
【従来の技術】
液晶表示装置などのカラー表示可能な平面表示装置には、カラー表示させるために、一画素に対応するように交互にレッドＲ、グリーンＧ、ブルーＢの順でストライプ状のパターンを形成した所謂カラーフィルタが使用される。また、このカラーフィルタには、これらＲ、Ｇ、Ｂのパターンの間に、コントラスト比を改善する目的でブラックストライプを形成することもある。
【０００３】
従来、このようなストライプ状のパターン画像を記録面に形成する記録方法として、転写シートを記録面に重ね合わせ、レーザ露光する記録方法がある。この記録方法では、透明基板などの記録面に、複数種の転写シートの中から１種の転写シートを選択的に供給し、それぞれの色毎に記録したい画像情報に基づいて転写シートに対してレーザ露光を行う。レーザ露光により加熱された部分の転写シートは、トナーが接着性劣化、溶融或いは昇華により記録面の受像層に付着する。次いで、転写シートを剥離することで、付着したトナーが画像様となって記録面に残る。これにより、レッド、グリーン、ブルーの順で交互に配置したストライプ形状のパターン画像や、これらの間に配置されるブラックストライプのパターン画像を記録面に転写して形成することができた。
【０００４】
上記記録方法の基本的な内容は、例えば特許文献１に記載されている。
【特許文献１】
特開平１１−１２３８３９号公報
【０００５】
なお、ここでいうストライプ形状とは、基本的には、所定幅を有する略直線状の記録域が複数本平行に配された縞状パターンの１つの縞であって、転写シートのトナー層が複数本、一定のピッチ或いは任意のピッチで配列された記録パターンをストライプパターンというが、本明細書では、１本の略直線状の記録域に対してもストライプパターンとして扱うものとする。また、ストライプ形状は、記録するパターンの少なくとも一部にあればよく、記録面全体がストライプである必要もない。
【０００６】
【発明が解決しようとする課題】
ところで、従来のストライプパターンの画像を記録する場合、複数の記録スポットが配列された記録ヘッドを、転写シートに対して主走査方向とこれに直交する副走査方向へ相対移動させることにより、主走査方向を長軸とするストライプパターンを記録している。
例えば、図２３に示すような間隔のストライプを記録する場合、１回目の主走査方向への走査を行ったら、記録ヘッドを、記録スポットの記録幅分だけ副走査方向へ移動させ、２回目の主走査方向への走査を行い、その後、この走査を繰り返し順に行い、全てのストライプパターンの記録を行う。
しかしながら、例えば、ストライプ同士の間隔が記録スポットの記録幅よりも大きい場合、図２８の例における、例えば２回目の走査のときのように、全く記録を行わない無駄な走査が行われる場合が生じ、記録時間が嵩んでしまう。
また、二度の走査にて記録せざるを得ないストライプも生じてしまい、異なる走査による記録箇所同士の間に、記録ヘッドの各スポットに対する個体特性の違いに起因して、重なりや隙間等の境界が生じてしまい、画質低下の要因となる恐れがあった。
【０００７】
本発明は上記状況に鑑みてなされたもので、極めて迅速に且つ良好な画質でストライプを記録することが可能な画像記録方法を提供することを目的とする。
【０００８】
【課題を解決するための手段】
上記目的を達成するための本発明に係る請求項１記載の画像記録方法は、  複数の記録スポットで記録する記録ヘッドを、記録媒体に対し、記録方向に略平行な主走査方向とこれと直交する副走査方向へ相対移動して、前記主走査方向を長軸とするストライプパターンを前記記録媒体に記録する画像記録方法であって、前記記録ヘッドの記録スポット列による副走査方向記録幅をＷＬ、ストライプ形状の副走査方向幅をＷＰとしたときに、ＷＬ＜ＷＰの場合は、主走査方向記録後の次回の主走査方向記録時に、前記記録スポット列に対するストライプ形状の記録データがないときに、次に記録するストライプ形状の副走査記録方向上流端に前記記録スポット列の副走査記録方向上流側の前端記録スポットを位置合わせして、主走査方向に記録することを特徴とする。
【０００９】
この画像記録方法では、主走査記録時における記録スポット列に対するストライプ形状の記録データがない場合に、この状態での主走査を行わず、ストライプ形状の記録データがある位置まで副走査記録方向に記録ヘッドを移動させる。これにより、ストライプ形状の記録を行わない無駄な主走査動作をなくすことができ、画像記録時間を短縮して記録動作の高効率化を図ることができる。
【００１０】
請求項２記載の画像記録方法は、複数の記録スポットで記録する記録ヘッドを、記録媒体に対し、記録方向に略平行な主走査方向とこれと直交する副走査方向へ相対移動して、前記主走査方向を長軸とするストライプパターンを前記記録媒体に記録する画像記録方法であって、
前記記録ヘッドの記録スポット列による副走査方向記録幅をＷＬ、ストライプ形状の副走査方向幅をＷＰ、ストライプパターンの副走査方向ピッチをＰＰとしたときに、ＷＰ≦ＷＬ≦ＰＰの場合は、主走査方向記録後の次回の主走査方向記録時に、副走査記録方向の上流側の記録スポットに対するストライプ形状の記録データがないときに、次に記録するストライプ形状の副走査記録方向上流端に前記記録スポット列の副走査記録方向上流側の前端記録スポットを位置合わせして、主走査方向に記録することを特徴とする。
【００１１】
この画像記録方法では、一度の走査によって１本のストライプ形状の画像記録を行うことができ、二度の走査による１本のストライプの画像記録をなくし、記録画像の質の向上を図ることができる。
【００１２】
請求項３記載の画像記録方法は、前記記録スポット列の副走査記録方向の記録ピッチが、ストライプパターンの副走査方向ピッチに等しいことを特徴とする。
【００１３】
この画像記録方法では、常に記録ヘッドの前端記録スポットを、記録するストライプ形状の副走査記録方向前端に合わせて、良好な画質で画像記録することができる。
【００１４】
請求項４記載の画像記録方法は、複数の記録スポットで記録する記録ヘッドを、記録媒体に対し、記録方向に略平行な主走査方向とこれと直交する副走査方向へ相対移動して、前記主走査方向を長軸とするストライプパターンを前記記録媒体に記録する画像記録方法であって、前記記録ヘッドの記録スポット列による副走査方向記録幅をＷＬ、ストライプパターンの副走査方向ピッチをＰＰとしたときに、ＰＰ＜ＷＬの場合は、副走査記録方向下流側の後端記録スポットにストライプ形状の記録データがあり、且つ、副走査記録方向上流側の前端記録スポットと前記後端記録スポットとの間にストライプ形状の記録データのない領域が存在するときに、前記後端記録スポットの記録データに対応するストライプ形状を記録しないことを特徴とする。
【００１５】
この画像記録方法では、後端記録スポットが副走査記録方向下流側のストライプ形状の記録位置に差し掛かって、記録データが存在する際には、この後端記録スポットの記録データに対応するストライプ形状を記録しないので、このストライプ形状を複数回にわたって記録することを防止して、記録画質の向上を図ることができる。
【００１６】
請求項５記載の画像記録方法は、前記記録スポット列の副走査記録方向の記録ピッチが、ストライプパターンの副走査方向ピッチの正の整数倍に等しいことを特徴とする。
【００１７】
この画像記録方法では、常に記録ヘッドの前端記録スポットを、記録するストライプ形状の副走査記録方向前端に合わせて正の整数本分のストライプ形状を一回の主走査動作により良好な画質で一度に記録することができる。
【００１８】
【発明の実施の形態】
以下、本発明に係る記録方法及び記録装置の好適な実施の形態を図面を参照して詳細に説明する。
図１は本発明に係る記録装置の概念を表したブロック図、図２は支持体の断面図である。
【００１９】
本発明は、ストライプパターンの画像記録方法に特徴を有しているが、まず、この画像記録を行うための記録装置について、その構成と記録動作について説明する。
図１及び図２に示すように、本実施の形態の記録装置２１は、その主要な構成として、支持体２３を保持し且つ支持体２３の記録面２５と平行な面に沿って移動自在な記録媒体保持部材（ステージ）２７と、スタンバイ位置６５と記録原点位置６９に移動自在であって記録原点位置６９でレーザー光を出射させて形成した複数の記録スポットにより画像を記録する記録手段（記録ヘッド）２９と、ステージ２７に保持した支持体２３に、記録媒体（後述する受像シート又は転写シート）を供給する記録媒体供給部３１と、詳細は後述するが記録媒体を押圧して支持体２３の記録面２５に密着させる加圧ローラと、記録媒体を支持体２３から剥離する剥離手段（剥離ローラ、剥離溝、剥離爪）とを有している。
【００２０】
さらに、記録装置２１は、これら主要構成に加えて、支持体２３を積層して載置する支持体供給部３３と、支持体供給部３３から支持体２３をステージ２７へ搬送する搬入機構４９と、画像の転写された支持体２３をステージ２７から排出する排出機構５１と、排出機構５１によって排出した支持体２３を積層して載置する支持体受部３５とを付設している。また、図１中の３７は、使用済みの記録媒体を廃棄する廃棄箱を示す。
【００２１】
記録装置２１は、ステージ２７、記録ヘッド２９を有する記録部３９と、記録媒体供給部３１との外周を、レーザ漏出防止の安全上の観点から遮蔽フレーム４１により覆うことが望ましい。なお、この遮蔽フレーム４１には、支持体２３を搬入・排出するための開閉可能な通過開口部や、使用済み記録媒体を排出する通過開口部を設けている。
【００２２】
液晶用ブラックストライプ、又は液晶用カラーフィルタを形成する目的で本記録装置２１を用いる場合には、少なくとも記録装置２１の本体と、支持体供給部３３、支持体受部３５をクリーンルーム内に設置する。
【００２３】
本実施の形態において、記録の対象物となる記録対象物は、特に、ガラス基板、タイル、石材、セラミック等の硬質材料の他、弾性域で折り曲げることのできない硬さ（厚さ）の金属等を記録対象物とする。本明細書中においては、このような記録対象物を、「支持体」と称することにする。なお、軟質の材料であっても、例えば固定板に貼り付ける等の常套手段により本記録装置に適用することができる。
【００２４】
図２に示すように、この支持体２３の記録面２５には、予め機能層（即ち、画像形成層としてのトナー層を受け止める受像層２４）を形成しておいてもよい。これによりトナー層の転写性が向上すると共に記録工程が簡略化される。また、支持体２３は、この機能層を有することなく、本記録装置２１において受像層２４を転写形成するものであってもよい。本実施の形態においては、受像層２４を有しない支持体２３に、本記録装置２１を用いて後述する受像層８０ｂを転写形成する場合を例として説明する。
【００２５】
次に、本実施の形態による記録装置の詳細を以下に順次説明する。
図３は図１に示した記録装置の構成図、図４は支持体供給部における支持体の積載状態を表す斜視図である。
支持体供給部３３は、複数の支持体２３を所定間隔で積層して載置する。通常、支持体２３は、埃等が降り積もらないようにするため、記録面２５が下側となるようにして載置する。また、支持体２３は、記録面２５に極力異物が付着しないようにするため、点接触で支持することが望ましい。この点接触による支持は、例えば図４に示す先端の尖った形状のピン４５、或いは先端が球面のピンを用いる。ピン４５は、支持体２３が四角形である場合には、四隅を支持できるように少なくとも４本を配設する。また、支持体２３の大きさや曲げこわさに応じて、必要とあれば４本以上ピンを配設してもよい。
【００２６】
一枚の支持体２３を支持する４本のピン４５は、２本の支持バー４６のそれぞれに２本ずつ上方に突設され、各支持バー４６は、図３にしめすように支持体供給部３３の台座４７に多段状に配設される。この台座４７は、最上層の支持体２３が所望の高さとなるように、昇降機構を有することが好ましい。この場合、昇降機構の高さ制御方法としては、支持体２３の重量を検出して、支持体２３の減少数に応じて高さを一定に管理する方法や、最上層の支持体２３の位置を検出して高さを一定に管理する方法、或いは、支持体２３の厚さを記憶しておき、使用枚数を減算しながら高さを管理する方法等を採用することができる。
【００２７】
記録装置２１は、支持体供給部３３とステージ２７との間に搬入機構４９を有している。また、記録装置２１は、ステージ２７と支持体受部３５との間に排出機構５１を有している。これらの搬入機構４９及び排出機構５１は、支持体２３を保持するための真空吸引方式の吸盤５３を有している。吸盤５３は、少なくとも３個以上設け、好ましくは４個とする。それぞれの吸盤５３には図示しないエア配管を接続し、このエア配管の端部には真空ポンプやブロア等の吸引源５５を接続する。なお、吸盤の数は、支持体２３のサイズ等により、必要に応じて増やしてもよい。
【００２８】
搬入機構４９及び排出機構５１は、吸盤５３を基台５７に取り付けている。基台５７は、図示しないスライドレール又はガイド溝によって、ステージ２７と、搬入機構４９又は排出機構５１との間を往復できるようになっている。この基台５７は、電動モータ、エアシリンダ、油圧シリンダ等のいずれかの駆動源を用いて駆動させる。また、搬入機構４９、排出機構５１は、上記した構成を一体化したリニアモータや、ロボットアームを用いるものであってもよい。
【００２９】
記録装置２１の本体は、記録ヘッド２９の画像形成回路、記録ヘッド２９の駆動モータ、ステージ２７の駆動モータ、搬入機構４９、排出機構５１、吸引源５５等を制御するコントローラ５９と、このコントローラ５９や吸引源５５並びに各駆動モータ等へ電源を供給する電源６１を備えている。また、記録装置２１は、コントローラ５９とホストコンピュータ６３とを通信線で接続し、画像形成制御、支持体２３の供給及び排出等の制御が制御信号の送受信によって行えるようになっている。
【００３０】
次に、支持体供給部３３から支持体２３を取り出してステージ２７へ搬入する動作について説明する。
図５は記録ヘッドとステージの動作を説明する平面図、図６は凹部に支持体を収容したステージ２７の断面図である。
【００３１】
図５に示すように、記録装置２１の本体において、記録ヘッド２９は、ステージ２７上から記録ヘッドスタンバイ位置６５へ退避させておく。また、ステージ２７は、支持体２３の供給位置６７に移動させておく。ここで、記録部３９は、図１に示すように、中心位置が記録ヘッド２９の記録原点位置６９となる。また、ステージ２７の移動範囲は、記録原点位置６９を中心として、各面積がステージ２７と同面積の第一象限、第二象限、第三象限、第四象限の範囲となる。つまり、ステージ２７は、縦横サイズの二倍の距離を移動可能となっている。これにより、記録原点位置６９に位置した記録ヘッド２９は、ステージ２７上の全ての位置に相対的に走査可能となっている。
【００３２】
ステージ２７は、図６に示すように、凹部７１の周縁及び凹部７１の底面に、複数の吸引用孔７７を穿設している。この吸引用孔７７は、吸引源５５にエア配管によって接続される。ステージ２７は、吸引用孔７７からエアを吸引することで、支持体２３を凹部７１の底面に吸引固定するようになっている。なお、ステージ２７の凹部７１の周縁に穿設した吸引用孔７７は、後述する記録媒体を吸着固定するためのものである。
【００３３】
上記構成のステージ２７は、吸引源５５によって吸引用孔７７からエアを吸気し、支持体２３を凹部７１内の底面に吸引固定する。これにより、支持体２３のステージ２７への保持が完了する。
【００３４】
また、ステージ２７は、凹部７１を設けることで、支持体２３より面積の大きい記録媒体を重ねた際、支持体２３からはみ出した記録媒体がステージ２７の凹部周縁に平坦のまま載り、段差による撓みやしわが記録媒体に生じ難くなり、記録面２５に対する記録媒体の密着性が良好となる。また、支持体２３を、凹部７１の直交する二つの内壁面に突き当てることで、簡単にして支持体２３のＸＹ方向の位置決めが可能になる。なお、記録の完了した支持体２３を凹部７１から排出する際においては、支持体２３を凹部７１の底面に配設した図示しないピンを上昇させることにより、支持体２３の記録面２５とは反対側の下面を排出機構５１の吸盤５３によって吸着保持することが可能になる。
【００３５】
次に、ステージに保持された支持体に対して記録を行うための構成を説明する。
図７は記録媒体供給部と記録部とを表した要部構成図、図８は図１の記録装置に使用する（ａ）受像シート及び（ｂ）転写シートの断面図である。
図７に示すように、記録媒体供給部３１は、受像シート供給部８１と、転写シート供給部８３とを備える。受像シート供給部８１は、記録部３９に対して受像シートを供給する。また転写シート供給部８３は、複数の種類の転写シートを供給することができ、記録部３９に対して複数の種類の転写シートの中から１種類の転写シートを選択的に供給する。
【００３６】
受像シート供給部８１は受像シートロール８５が装填される。受像シートロール８５は、芯に受像シート８０が巻回されたものであり、受像シート８０は、図８（ａ）に示すように、支持層８０ａ、及び受像層８０ｂがこの順序で積層されている。支持層８０ａとしては、ＰＥＴベース、ＴＡＣ（トリアセチルセルロース）ベース、ＰＥＮ（ポリエチレンナフタレート）ベース等を用いることができる。受像層８０ｂは、転写されるトナーを受け止める働きを有する。
【００３７】
受像シート供給部８１は、さらに、受像シート搬送部８９を有している。受像シート搬送部８９は、モータ（図示略）と、駆動伝達用のベルト又はチェーン（図示略）と、搬送用ローラ９１、９３と、支持ガイド９５と、受像シート切断部９７と、受像シートの端点を検出する検出センサ（図示略）とを有している。
搬送用ローラ９１、９３はそれぞれ一対のローラを有してなる。このような駆動機構によって、受像シート８０を記録部３９へ送出或いは記録部３９から戻す搬送動作を行う。
【００３８】
受像シートロール８５は、先端部が搬送用ローラ９１に挟まれた状態で、モータ等の前述の駆動機構によって受像シート８０が引き出される。これによって、受像シートロール８５は回転し、受像シート８０が繰り出されていく。受像シート８０はさらに搬送用ローラ９３に挟まれ、支持ガイド９５に案内されて搬送される。
【００３９】
受像シート搬送部８９によって搬送された受像シート８０は、受像シート切断部９７によって所定の長さに切断される。長さの測定には光センサ等の検出センサが利用される。即ち、受像シート８０の先端を検出センサにより検出し、モータの回転数等を考慮すること等によって長さを測定する。受像シート８０は、この測定結果に基づいて所定の長さに切断され、記録部３９へと供給される。受像シート切断部９７は、図示しないカッタの他に支持部やガイドを有する。上記の駆動により受像シートロール８５から繰り出された受像シート８０は、上述した受像シート長の測定結果に基づいて、その搬送が停止された後、カッタによって所定の長さに切断される。
以上のようにして、受像シート供給部８１は、受像シートロール８５の一部を繰り出して切断することによって、所定の長さの受像シート８０を記録部３９に対して供給する。
【００４０】
一方、転写シート供給部８３は、回転ラック９９を有しており、この回転ラック９９は後述するように回転軸１０１を中心に回転駆動される。また、回転ラック９９には、複数（図では６個）の転写シートロール１０３が回転軸１０１を中心にして「放射状」に配置されて収容されている。
各転写シートロール１０３は、芯とそれに巻回される転写シート９０と、芯の両側から差し込まれるフランジ（図示略）とを有しており、各芯を中心に回転自在に保持されている。フランジの外径は転写シート部分の径よりも大とすることで、転写シート部分が崩れないようになっている。
【００４１】
各転写シート９０は、図８（ｂ）に示すように、支持層９０ａ、光熱変換層９０ｂ、及び画像形成層（トナー層）９０ｃがこの順序で積層されている。支持層９０ａは、レーザ光が透過する物であれば一般的な支持体材料（例えば上記した受像シート８０の支持層８０ａと同じ支持体材料）から任意なものを選択できる。光熱変換層９０ｂは、レーザエネルギを熱に変換する働きを有する。この光熱変換層９０ｂは、カーボン、黒色物質、赤外吸収色素、特定波長吸収物質等光エネルギを熱エネルギに変換する物質であれば一般的な光熱変換材料から任意なものを選択できる。トナー層９０ｃとしては、例えば、ブラック（Ｋ）、レッド（Ｒ）、グリーン（Ｇ）、ブルー（Ｂ）の４色の他、印刷用のシアン（Ｃ）、マゼンタ（Ｍ）、イエロー（Ｙ）や、特色と呼ばれる金、銀、オレンジ、グレー、ピンク等がある。
【００４２】
転写シートロール１０３においては、トナー層９０ｃが支持層９０ａに対して外側になるように巻回されている。後述するように、トナー層９０ｃはトナーインクを有しており、このトナーインクがレーザ露光により受像シートに転写される。
【００４３】
図７では、６つの転写シートロール１０３が回転ラック９９内に収容されている場合が示されている。この６種類の転写シートとしては、例えば、上記したブラック（Ｋ）、レッド（Ｒ）、グリーン（Ｇ）、ブルー（Ｂ）の４色の転写シートが含まれる。
【００４４】
回転ラック９９は、さらに、これらの複数の転写シートロール１０３のそれぞれに対応して、それぞれ転写シート繰り出し機構１０７を有している。この転写シート繰り出し機構１０７は、フィードローラ１０９と支持ガイド１１１とから成っている。図においては、このような転写シート繰り出し機構１０７が６つ設けられている。フィードローラ１０９はローラ１０９ａ、１０９ｂを有しており、ローラ１０９ａは、後述するようにギア機構によってモータと接続されており、モータによって駆動される。ローラ１０９ａはローラ１０９ｂとの間で所定の圧力で転写シート９０を挟み込むことができる。そして、ローラ１０９ｂは、ローラ１０９ａの回転とは逆向きに回転することによって、転写シート９０を搬送する。転写シート９０は、ローラ１０９ａ、１０９ｂによって挟持され、送り出されたり或いは逆に戻されたりすることが可能である。また転写シート９０の搬送に伴って、転写シートロール１０３が回転する。
【００４５】
このような構造を有する転写シート繰り出し機構１０７によって、転写シート９０が記録部３９に対して供給される。転写シート９０の先端がフィードローラ１０９に挟まれた状態において、モータ等の前述の駆動機構によってフィードローラ１０９を駆動する。この駆動により転写シート９０は繰り出されていく。また転写シート９０は、さらに後述する転写シート搬送部１１３において、所定長さに切断されて記録部３９に対して供給される。
以上のように、複数の転写シートロール１０３を収容する回転ラック９９は、所望の種類の転写シート９０を転写シート搬送部１１３に対して選択的に供給することができる。
【００４６】
転写シート搬送部１１３は、モータ（図示略）と、駆動伝達用のベルト又はチェーン（図示略）と、搬送用ローラ１１５、１１７と、ガイド１１９と、転写シート切断部１２１と、転写シートの端を検出する検出センサ（図示略）とを有している。搬送用ローラ１１５及び１１７は、それぞれ一対のローラを有している。ローラ１１５及び１１７は、駆動伝達用のベルト又はチェーンによってモータと接続されており、モータによって駆動されて、転写シート９０を搬送する。
【００４７】
このような駆動機構によって、転写シート９０を記録部３９の方へ送り出したり、或いは逆に戻したりすることができる。また、このようにして搬送された転写シート９０は、転写シート切断部１２１によって所定の長さに切断される。転写シート９０の長さの測定には、光センサ等の検出センサが利用される。即ち、転写シート９０の端を検出センサにより検出し、モータの回転数等を考慮すること等によって長さを測定する。転写シート９０は、この測定結果に基づいて所定の長さに切断され、記録部３９へと供給される。転写シート切断部１２１は、図示しないがカッタの他に支持部やガイド等を有する。
以上のようにして、転写シート供給部８３は、転写シートロール１０３の一部を繰り出して切断することによって、所定の長さの転写シート９０を記録部３９に対して供給することができる。
【００４８】
記録媒体供給部３１のガイド９５、１１９と、記録部３９との間には、記録媒体供給部３１から送られた記録媒体（受像シート８０又は転写シート９０）が載るガイド板１２３が設けられている。ガイド板１２３は、ステージ２７の移動に干渉しないように、上昇又は折り畳まれて退避するようになっている。
【００４９】
ガイド板１２３の上方には、記録媒体の幅方向（図７の紙面垂直方向）に複数の吸盤を並べた吸盤列１２５を配設している。この吸盤列１２５は、吸引源５５にエア配管によって接続され、さらに支持アーム等によって昇降方向及びステージ移動面に対して平行方向に移動自在に支持されている。吸盤列１２５は、ガイド板１２３の上方から下降することにより、ガイド板１２３上に載った受像シート８０の端部をガイド板１２３に押し付けて吸着する。受像シート８０の端部を吸引保持した吸盤列１２５は、ステージ２７の記録媒体供給部３１側とは反対側端部（始端側）まで移動することで、受像シート８０を引き出す。これによって、ステージ２７上に保持した支持体２３の上面に、受像シート８０が重ねられる。ここで、受像シート８０の幅（Ｘ方向長さ）は支持体２３の幅と略一致していることが望ましい。
【００５０】
また、ステージ２７は、図９に示すように、ステージ２７の始端側である凹部７１の周縁に、剥離手段である剥離溝１２７を形成している。剥離溝１２７は、ステージ２７の右側面で開口し、後述の剥離爪が挿入可能となっている。吸盤列１２５によって引き出された受像シート８０の端部は、この剥離溝１２７を覆うようにしてステージ２７上に被せられる。
さらに、記録部３９のステージ２７上方には、図７に示すように、加圧ローラ（スクイーズローラ）１２９が配設され、スクイーズローラ１２９は昇降方向及びＹ方向に移動自在に支持されている。
【００５１】
スクイーズローラ１２９は、始端側に移動された吸盤列１２５の記録媒体供給部３１側の近傍で下降して、受像シート８０の端部を押さえ付けた後、受像シート８０を押圧しながら記録媒体供給部３１側へ転動することで、受像シート８０を支持体２３にスクイーズし、受像シート８０のシワを伸ばすように動作する。
【００５２】
記録部３９は、スクイーズローラ１２９の他に、補助的にヒートローラを備えるものであってもよい。ヒートローラは、スクイーズローラ１２９によるスクイーズの終了した受像シート８０上を、さらに加熱押圧しながら転動する。このようなヒートローラを備えれば、スクイーズローラ１２９のみを用いて受像シート８０を支持体２３に密着させる場合に比べて、より高い密着力で受像シート８０を支持体２３に密着させることができ、剥離強度を向上できる。また、このスクイーズローラ１２９がヒートローラであってもよい。なお、上記受像シート８０と同様に後述する転写シート９０に対してもスクイーズローラ１２９やヒートローラにより押圧することで密着性を向上できる。
【００５３】
次に、支持体２３に密着した受像シート８０を剥離することで、支持体２３の記録面２５に受像層８０ｂを形成する。受像シート８０の剥離は、まず、吸盤列１２５により受像シート８０の端部を吸着し、剥離ローラを兼ねたスクイーズローラ１２９を吸盤列１２５の剥離進行方向上流側近傍に下降させ、受像シート８０の端部近傍をスクイーズローラ１２９によって押圧する。次いで、吸盤列１２５を少し上昇させ、剥離溝１２７に剥離爪１３１を進入させる。そして、剥離爪１３１を少し上昇させて、吸盤列１２５と、受像シート８０と、支持体２３と、ステージ２７とを共に、スクイーズローラ１２９から離反する方向（−Ｙ方向）に移動させることで、剥離爪１３１とスクイーズローラ１２９により受像シート８０が支持体２３から剥離される。
【００５４】
受像シート８０が支持体２３から剥離されることで、受像層８０ｂが支持体２３の記録面２５に転写され、支持層８０ａのみが吸盤列１２５に吸引保持されたままとなり、吸盤列１２５が遮蔽フレーム４１に設けた通過開口部を通過して、不要となった支持層８０ａを廃棄箱３７（図１参照）に投入して廃棄する。
【００５５】
次に、受像シートの剥離後の転写シートの固定動作を説明する。
ここで、図１０は転写シートの固定動作を説明するステージの断面図である。図１０に示すように、受像層８０ｂを形成した支持体２３の上面には、記録媒体供給部３１から受像シート８０と同様にして転写シート９０が供給される。なお、転写シート９０は、記録媒体供給部３１の転写シート搬送部１１３からの供給となる。
転写シート９０の面積は、ステージ２７の凹部７１の面積より大きいものとする。支持体２３からはみ出した転写シート９０の周縁は、ステージ２７の凹部７１周縁に載った状態となる。この状態で、吸引用孔７７からエアを吸引して、転写シート９０の周縁を凹部７１の周縁に吸引固定して、転写シート９０を支持体２３に密接させる。
【００５６】
次に、この転写シート９０の上方から、記録ヘッド２９を相対的に走査して記録を行う。図１１に記録ヘッドと支持体との相対移動方向を表す斜視図、図１２は記録原点位置に固定した記録ヘッドとステージ原点位置との位置関係を表す平面図、図１３には記録ヘッドにより形成される記録スポット列を表す説明図を示した。
【００５７】
この記録動作は、図１１に示すように、記録ヘッド２９を転写シート９０の記録原点位置６９から、Ｘ方向への主走査とＹ方向への副走査とに相対的に移動させることによって行われる。記録開始時には、図１２に示すように、ステージ２７は原点位置に配置され、記録ヘッド２９はスタンバイ位置６５（図１参照）から記録原点位置６９へと移動する。記録に際し、記録ヘッド２９は記録面２５の全面を走査することになるが、この走査は、記録ヘッド２９のみの移動、ステージ２７のみの移動、或いは記録ヘッド２９及びステージ２７の双方移動によって行うもののいずれであってもよい。つまり、記録ヘッド２９と支持体２３とが相対的に移動すればよい。本実施の形態では、記録ヘッド２９を記録原点位置６９に固定し、ステージ２７をＸＹ方向に移動する場合を例に説明する。
【００５８】
記録ヘッド２９は、図１０，図１３に示すように、レーザー光の照射により、複数の記録スポットからなる記録スポット列Ｓｐを転写シート９０の背面に形成する。この記録スポット列Ｓｐは、少なくとも副走査方向に複数個を並べて形成される。これら複数の記録スポットからなる記録スポット列Ｓｐは、図１４に記録ヘッドの拡大図を示すように、副走査記録方向上流端の前端記録スポットＳｐ１が副走査記録方向下流端の後端記録スポットＳｐ２より主走査記録方向下流側に配置される向きで傾斜させることが好ましい。つまり、スポット配列を一次元配列として、副走査記録方向上流端の前端記録スポットＳｐ１が副走査記録方向下流端の後端記録スポットＳｐ２より主走査記録方向下流側に配置される向きで傾斜させることで、記録時に記録局部で発生したガスが副走査記録方向下流側に逃がされる。これにより、記録済領域のトナー層９０ｃ（図８（ｂ）参照）と受像層２４（図２参照）との間にガスが残留することがなくなり、トナー層９０ｃと受像層２４との密着性が保たれ、画像欠陥が防止されて、良好な画像が得られるようになる。
【００５９】
記録ヘッド２９には、ホストコンピュータ６３からコントローラ５９を介して画像、文字等のパターンデータが送られる（図３参照）。また、ホストコンピュータ６３からは、コントローラ５９を介してステージ２７等の駆動モータに移動制御信号が送られる。これにより、記録ヘッド２９と支持体２３とが相対的に移動制御され、転写シート９０に画像が形成される。この記録動作は、後述する一般的なシリアル動作とすることができる。本実施の形態では、基本的に上記の相対動作によって記録範囲の全面を走査し、画像データの存在する部分のみレーザー光Ｌｂを照射して記録を行う。
【００６０】
次に、上記のように構成した記録装置２１によって、所望の画像を支持体２３に記録する一連の手順の概略を図１５に基づいて説明する。なお、以下の説明は、ブラック（Ｋ）、レッド（Ｒ）、グリーン（Ｇ）、ブルー（Ｂ）の４色を用いてブラックマトリクスやカラーフィルタ形成のための画像を記録する場合についての動作手順である。
【００６１】
図１５は記録工程を概念的に表した説明図、図１６は記録スポットの記録方向を表す説明図、図１７は図１６の記録方向による記録過程の説明図、図１８は図１６の記録方向によって一行目の記録が終了した支持体の平面図である。
【００６２】
図１５に示すように、まずステップ１において、支持体供給部３３（図３参照）から支持体２３を搬入機構４９によって記録部３９に供給する。記録部３９のステージ２７には、上記した動作手順によって支持体２３を凹部７１に固定する（図６参照）。
次いで、ステップ２で、記録媒体供給部３１からステージ２７上の支持体２３に受像シート８０を供給し、受像シート８０を載せる。受像シート８０は、スクイーズローラ１２９によって支持体２３に密着させる（図７参照）。この後、受像シート８０は、ステップ３において、ヒートローラを用いてさらに加熱圧着（即ち、ラミネート）してもよい。
【００６３】
そして、ステップ４で受像シート８０を支持体２３から剥離することにより、受像シート８０の受像層８０ｂを支持体２３に転写する。受像層８０ｂが転写された支持層８０ａは、吸盤列１２５によって記録部３９から搬出し、廃棄箱３７に廃棄する。
次いで、ステップ５で、記録媒体供給部３１の転写シート供給部８３から転写シート９０をステージ２７上に供給する。転写シート９０は、所定長に切断されたものが、スクイーズローラ１２９によって支持体２３上に密接される。この後、転写シート９０は、受像シート８０の場合と同様に、ステップ６でヒートローラを用いてさらに加熱圧着（即ち、ラミネート）してもよい。
【００６４】
ステップ７で、予め与えられた画像データに基づいて、転写シート９０上に記録ヘッド２９からレーザー光Ｌｂが出射され、記録スポット列Ｓｐの所定の記録スポットがオンオフ制御されると共に、これに同期してステージ２７が移動される。つまり、記録スポット列Ｓｐが所定のパターンでオンオフ制御されながら転写シート９０の背面（図１０の上面）を画像様に走査する。ここで、与えられた画像データは、各色ごとの画像にさらに色分解されており、レーザ露光は、色分解された各色ごとの画像データに基づいて行われる。これにより、支持体２３の受像層２４に転写シート９０のトナー層９０ｃが転写され、支持体２３上にブラック（Ｋ）での画像が形成される。
【００６５】
本実施の形態による記録方法では、図１１に示すように、基本的に支持体２３と記録ヘッド２９とを主走査方向に相対移動させながら記録を行う。そして、支持体２３と記録ヘッド２９とを副走査方向に同時に相対移動させながら次の記録開始端への移動を行い、この記録と移動を繰り返すことで記録データの存在する領域を包含した四角形状の全領域を走査する。
【００６６】
即ち、図１７に示すように、ステージ２７が＋Ｘ方向に移動すると同時に、記録スポット列Ｓｐが所定のタイミングで記録開始端１４１から照射される。また、図１８に示すように、記録スポット列Ｓｐが記録終端１４３に到達すると、記録スポット列Ｓｐによる露光が終了し、ステージ２７が停止する。
次いで、ステージ２７を＋Ｙ方向へ移動し、且つ−Ｘ方向へ移動し、次の記録開始端に記録原点位置６９を一致させる。その後、同様にしてステージ２７を＋Ｘ方向に移動して記録を行う動作を繰り返す。
【００６７】
このようなシリアル記録によれば、画像の記録が主走査方向の一方向のみによって行われ、常に記録開始端まで記録ヘッド２９が戻ってから記録を再開するので、位置制御が容易になり、記録精度を高め易くなる。また、一方向記録であることから、スポット配列に起因する記録特性の違いが出難くなる。
【００６８】
以上のようにしてブラック（Ｋ）の画像記録が終了したなら、ステップ８にてブラックの転写シート９０を支持体２３から剥離する。
【００６９】
このように、転写シート９０を支持体２３から剥離することで、トナー層９０ｃが支持体２３の記録面２５に転写され、記録面２５（支持体２３の受像層２４）には、ブラックのパターン画像が形成される。
【００７０】
そして、別の種類の転写シート９０の供給が必要な場合は、上記のステップ５〜８までの処理を繰り返す。つまり、他のレッド、グリーン、ブルーの各色の転写シート９０について、ステップ５〜８までの各動作が繰り返される。その結果、４色のトナー層９０ｃのトナーインクＫＲＧＢが１枚の支持体２３に転写され、支持体２３の記録面２５上に所望の画像が形成される。
【００７１】
記録の終了した支持体２３は、排出機構５１によって記録部３９から排出して支持体受部３５にスタックする。
【００７２】
以上の各動作を繰り返すことにより、複数の支持体２３に、ブラックマトリクスやカラーフィルタ等のパターンを連続的に形成することができる。
なお、図１５に示した記録手順では、ブラックの転写シート９０を最初に用いて画像形成する例を説明したが、本発明に係る記録方法は、各色の記録の順番を限定するものではない。
【００７３】
次に、本発明の特徴である記録する各種のストライプパターンに応じた画像記録方法について説明する。
この記録装置２１では、図１９に示すように、記録ヘッド２９の記録スポット列Ｓｐの副走査方向記録幅をＷＬ、ストライプ形状の副走査方向幅をＷＰ、主走査方向を長軸とするストライプパターンの副走査方向ピッチをＰＰとしたときに、記録するストライプパターンの種類に応じて次のように制御して画像を記録する。
【００７４】
（１）ＷＬ＜ＷＰとなる場合
図２０に示すように、記録スポット列Ｓｐの副走査方向記録幅ＷＬがストライプ形状の副走査方向幅ＷＰよりも小さい場合は、主走査方向記録後の次回の主走査方向記録時（副走査方向に並ぶ次の主走査ライン記録時）に、記録スポット列Ｓｐの全記録スポットに対してストライプ形状の記録データがない場合、即ち、記録スポット列Ｓｐがストライプ形状の記録に関与する記録データが存在しない場合に、次に記録するストライプ形状の副走査記録方向上流端に前端記録スポットＳｐ１を位置合わせして、主走査方向に記録する。
【００７５】
具体的には、まず、▲１▼第１回目の主走査時に、記録する最初のストライプ形状である１本目のストライプ形状ＳＴＲ１の副走査記録方向上流端に前端記録スポットＳｐ１を合わせ、この状態で、ステージ２７を＋Ｘ方向に移動して記録を行う。このようにすると、１本目のストライプ形状ＳＴＲ１の一部が記録される。
次に、▲２▼第２回目の主走査を行うため、ステージ２７を＋Ｙ方向へ副走査方向記録幅ＷＬ分移動させ、且つ−Ｘ方向へ移動させる。
【００７６】
このとき、記録スポット列Ｓｐには、１本目のストライプ形状ＳＴＲ１の残りの記録部分を記録させるための記録データが存在するため、この残りの記録部分の副走査記録方向上流端に前端記録スポットＳｐ１を合わせ、この状態で、ステージ２７を＋Ｘ方向に移動して記録を行う。このようにすると、１本目のストライプ形状ＳＴＲ１の残りの記録部分が記録され、１本目のストライプ形状ＳＴＲ１の全体が記録される。
【００７７】
次に、▲３▼第３回目の主走査を行うため、ステージ２７を＋Ｙ方向へ移動させ、且つ−Ｘ方向へ移動させる。このとき、第２回目の走査部分に隣接する部分においては記録スポット列Ｓｐにストライプ形状の記録データが存在しないため、この場合は、次に記録する２本目のストライプ形状ＳＴＲ２の副走査記録方向上流端に前端記録スポットＳｐ１を位置合わせし、即ち、副走査方向に並ぶ次のストライプ形状のＳＴＲ２位置まで空送りさせ、この状態で、ステージ２７を＋Ｘ方向に移動して記録を行う。このようにすると、２本目のストライプ形状ＳＴＲ２の一部が記録開始される。
【００７８】
次いで、▲４▼第４回目の主走査を行うため、ステージ２７を＋Ｙ方向へ移動させ、且つ−Ｘ方向へ移動させる。
【００７９】
このとき、記録スポットＳｐには、２本目のストライプ形状ＳＴＲ２の残りの記録部分を記録させるための記録データが存在するため、この残りの記録部分の副走査記録方向上流端に前端記録スポットＳｐ１を合わせ、この状態で、ステージ２７を＋Ｘ方向に移動して記録を行う。このようにすると、２本目のストライプ形状ＳＴＲ２の残りの記録部分が記録され、２本目のストライプ形状ＳＴＲ２の全体が記録される。
その後は、上記の操作が繰り返し行われて、各ストライプ形状の画像記録が順次行われる。
【００８０】
（２）ＷＰ≦ＷＬ≦ＰＰとなる場合
図２１に示すように、記録スポット列Ｓｐの副走査方向記録幅ＷＬがストライプ形状の副走査方向幅ＷＰ以上であり、しかも、ストライプパターンの副走査方向ピッチＰＰ以下である場合は、主走査方向記録後の次回の主走査方向記録時に、副走査記録方向の上流側の前端記録スポットＳｐ１に対してストライプ形状の記録データがないときに、次に記録するストライプ形状の副走査記録方向上流端に前端記録スポットＳｐ１を位置合わせして、主走査方向に記録する。
【００８１】
具体的には、まず、第１回目の走査時に、記録する最初のストライプ形状である１本目のストライプ形状ＳＴＲ１の副走査記録方向上流端に前端記録スポットＳｐ１を合わせ、この状態で、ステージ２７を＋Ｘ方向に移動して記録を行う。このようにすると、１本目のストライプ形状ＳＴＲ１の全体が一度に記録される。
【００８２】
第２回目の走査を行うため、ステージ２７を＋Ｙ方向へ移動させ、且つ−Ｘ方向へ移動させる。このとき、第１回目の走査部分に隣接する部分においては前端記録スポットＳｐ１にストライプ形状の記録データが存在しないため、この場合は、次に記録する２本目のストライプ形状ＳＴＲ２の副走査記録方向上流端に前端記録スポットＳｐ１を位置合わせし、この状態で、ステージ２７を＋Ｘ方向に移動して記録を行う。このようにすると、２本目のストライプ形状ＳＴＲ２の全体が一度に記録される。
その後は、上記の操作が繰り返し行われて、各ストライプ形状の画像記録が順次行われる。
【００８３】
（３）ＰＰ＜ＷＬとなる場合
図２２に示すように、記録スポット列Ｓｐの副走査方向記録幅ＷＬがストライプパターンの副走査方向ピッチＰＰよりも大きい場合は、副走査記録方向下流側にストライプ形状の記録データがあり、且つ、前端記録スポットＳｐ１と後端記録スポットＳｐ２との間にストライプ形状の記録データがない領域が存在する場合に、後端記録スポットＳｐ２の記録データに対応するストライプ形状を記録しない。
【００８４】
具体的には、まず、第１回目の走査時に、記録する最初のストライプ形状である１本目のストライプ形状ＳＴＲ１の副走査記録方向上流端に前端記録スポットＳｐ１を合わせ、この状態で、ステージ２７を＋Ｘ方向に移動して記録を行う。このとき、記録スポット列Ｓｐの副走査記録方向下流側の後端記録スポットＳｐ２が２本目に記録するストライプ形状ＳＴＲ２の位置に差し掛かるため、この後端記録スポットＳｐ２に記録データが存在する場合は、この後端記録スポットＳｐ２の記録データに対応する２本目のストライプ形状ＳＴＲ２の記録を行わない。これにより、１本目のストライプ形状ＳＴＲ２のみが記録される。
【００８５】
第２回目の走査を行う場合は、記録する２本目のストライプ形状ＳＴＲ２の副走査記録方向上流端に前端記録スポットＳｐ１を合わせ、この状態で、ステージ２７を＋Ｘ方向に移動して記録を行い、後端記録スポットＳｐ２が差し掛かる３本目のストライプ形状（図示略）を記録せずに、２本目のみのストライプ形状ＳＴＲ２の記録を行う。
【００８６】
その後は、上記の操作が繰り返し行われて、各ストライプ形状の画像記録が順次行われる。
つまり、この場合は、後端記録スポットＳｐ２が差し掛かるストライプ形状の記録を行わずに、記録スポットＳｐの副走査記録方向へのピッチＰをストライプパターンの副走査方向ピッチＰＰとして画像の記録を行う。
【００８７】
なお、図２３に示すように、記録スポットＳｐの副走査方向記録幅ＷＬがストライプパターンの副走査方向ピッチＰＰよりも大きい場合において、副走査方向下流側の後端記録スポットＳｐ２にストライプ形状の記録データが存在しない場合は、記録スポット列Ｓｐの副走査方向記録幅ＷＬ内に少なくとも記録する２本のストライプ形状ＳＴＲ１，ＳＴＲ２が存在することとなる。そして、この場合は、単に、記録スポット列Ｓｐの副走査記録方向へのピッチＰをストライプパターンの副走査方向ピッチＰＰの２倍として画像の記録を行う。即ち、ｎ本（ｎは正の整数）のストライプ形状が存在したときに、副走査方向へのピッチＰをＰ＝ｎ・ＰＰに設定する。
これにより、記録特性の異なる複数スポットの両端部とそれ以外の中間部とが、隣り合う位置で記録されることをなくすことができ、ストライプ形状内の主走査と次の主走査との境目でスジ等が発生することが防止される。
【００８８】
なお、液晶用カラーフィルタを作製する場合には、ストライプ幅ＷＰは、液晶パネルの用途や種類により異なるが、５〜５００μｍ程度が好適に用いられ、特に好ましくは、ＷＰ＝５０〜２００μｍである。また、ストライプパターンの副走査方向ピッチＰＰは、ストライプ幅ＷＰの約３倍の値となり、記録スポットの副走査方向記録幅ＷＬは記録ヘッドの種類やスポット数により異なるが、０．０２〜１０ｍｍ程度である。
【００８９】
なお、記録の動作は、上記した一方向記録の他、往復方向記録とすることもできる。この場合、支持体２３と記録ヘッド２９とを主走査方向に相対移動させながら主走査方向の記録を行い、主走査方向の記録の記録終端１４３位置で支持体２３と記録ヘッド２９とを副走査方向に相対移動させ、支持体２３と記録ヘッド２９とを前記主走査方向とは逆方向に相対移動させながら逆主走査方向の記録を行う。このような往復記録によれば、主走査方向とこれとは逆方向の往復方向で記録が行える。これにより、主走査方向のみで記録を行う一方向記録に比べ、画像の記録開始から記録完了までの記録時間の短縮が可能となる。
【００９０】
なお、主走査方向がＹ方向である場合には、図２４に示すように、Ｙ方向にストライプ１４２の長軸方向（延在方向）が一致するように記録を行い、このストライプ１４２をＸ方向に所定間隔で複数本形成して、ストライプ状のパターンを形成する。
【００９１】
このように、上記の記録方法によれば、支持体供給部３３からステージ２７上に供給した支持体２３に、転写シート９０を密着させ、記録ヘッド２９から出射させたレーザー光で転写シート９０に画像を記録し、転写シート９０を支持体２３から剥離することで支持体２３の記録面２５にこの画像を転写でき、支持体２３へのストライプパターンの画像の記録が、迅速且つ良好な画質で行える。
【００９２】
また、４色の異なる転写シート９０であるブラック（Ｋ）、レッド（Ｒ）、グリーン（Ｇ）、ブルー（Ｂ）の転写シート９０のそれぞれを用いて、第１色目の転写シートであるブラック（Ｂ）の転写シート９０を用いてストライプを記録した後、このブラックストライプトと交互に並ぶ未記録領域のそれぞれに、レッド（Ｒ）、グリーン（Ｇ）、ブルー（Ｂ）の転写シート９０を用いて、当該色のストライプを順番に記録することで、カラーフィルタの各ストライプ間にブラックストライプを形成した支持体２３を得ることができる。これにより、ブラック（Ｋ）、レッド（Ｒ）、グリーン（Ｇ）、ブルー（Ｂ）のそれぞれを均一な色調で記録した高精度のブラックストライプ付カラーフィルタを容易に得ることができる。
【００９３】
また、上記したストライプ１４２の場合は、支持体２３のＹ方向の長さより若干短くなって連続して延在する。この他、ストライプ１４２は、図２５に示すように、延在方向に複数に分断され、不連続となったものであってもよい。
【００９４】
以上説明したように、上記の画像記録方法によれば、ＷＬ＜ＷＰの場合は、次回の主走査方向記録時に、記録スポットＳｐに対する記録データがない場合に、次に記録するストライプ形状の副走査記録方向上流端に前端記録スポットＳｐ１を位置合わせして、主走査方向に記録し、ＷＰ≦ＷＬ≦ＰＰの場合は、次回の主走査方向記録時に、副走査記録方向の上流側の前端記録スポットＳｐ１に対する記録データがない場合に、次に記録するストライプ形状の副走査記録方向上流端に前端記録スポットＳｐ１を位置合わせして、主走査方向に記録し、ＰＰ＜ＷＬの場合は、副走査記録方向下流側の後端記録スポットＳｐ２に記録データがあり、且つ、前端記録スポットＳｐ１と後端記録スポットＳｐ２との間に記録データがない領域が存在する場合に、後端記録スポットＳｐ２の記録データに対応するストライプ形状を記録しないこととしたので、全く記録を行わない無駄な走査をなくすことができ、また、１本のストライプ形状の二度の走査による記録を極力なくすことができ、間隔や幅の異なる各種のストライプパターンを、極めて迅速に且つ良好な画質にて記録することができる。
【００９５】
また、受像シート供給部８１を別途設けたので、受像層８０ｂを有しない支持体２３であっても、受像層８０ｂを支持体２３の記録面に容易に形成することができる。
【００９６】
次に、本発明に係る画像記録方法が適応可能な記録装置の他の例を説明する。
図２６は他の実施の形態に係る記録装置の概念図、図２７は図２６に示した記録部の概略斜視図である。なお、前述の図１〜図１１に示した部材と同一の部材には同一の符号を付し、重複する説明は省略するものとする。
【００９７】
本実施の形態において、記録の対象物となる記録対象物は、特に、樹脂フィルム等の他、弾性域で折り曲げることのできる硬さ（厚さ）の金属等を記録対象物とすることができる。
【００９８】
本実施の形態による記録装置１５１は、図２６に示すように、その主要な構成として、受像シート供給部８１と、転写シート供給部８３と、記録部３００と、排出部４００とを備える。記録装置１５１は、本体カバー５１０によって表面を覆われ、脚部５２０によって支えられている。
【００９９】
記録装置１５１において、受像シート供給部８１は、記録部３００に対して可撓体である受像シート８０を供給する。また転写シート供給部８３は、複数の種類の転写シート９０を供給することが可能であり、記録部３００に対して複数の種類の転写シート９０の中から１種類の転写シート９０を選択的に供給することができる。記録部３００においては、記録媒体固定部材であるドラム３１０に巻き付けられた受像シート８０の上に、さらに転写シート９０が重ねて巻き付けられる。
【０１００】
ドラム３１０へは、受像シート８０及び転写シート９０の２種類のシートが巻き付けられる。ドラム３１０には、まず、受像シート供給部８１によって供給される受像シート８０が巻き付けられる。ドラム３１０の表面には複数の孔部（図示略）が形成され、受像シート８０は真空ポンプ等の吸引装置（図示略）によって吸引されるので、これによって、受像シート８０はドラム３１０の回転に伴って、ドラム３１０に吸着されながら巻き付けられる。
【０１０１】
転写シート供給部８３から供給される転写シート９０は、受像シート８０の上に巻き付けられる。受像シート８０及び転写シート９０の２種類のシートは、その大きさが互いに異なっており、転写シート９０の方が縦方向及び横方向のいずれの方向にも受像シート８０よりも大きくなっている。従って、転写シート９０は、受像シート８０よりも大きいはみ出し部分によってドラム３１０に吸着される。転写シート９０は、ドラム３１０の回転に伴って、ドラム３１０に吸着されながら巻き付けられる。
【０１０２】
ドラム３１０に巻き付けられた受像シート８０及び転写シート９０は、転写シート９０のトナー層９０ｃが、受像シート８０の受像層８０ｂの上に接触して存在している。このような位置関係を有することにより、トナー層９０ｃのトナーインクは、前述したように、記録ヘッド３５０によってレーザ露光されて受像シート８０に転写される。
【０１０３】
記録部３００はドラム３１０を有する。図２８に示すように、ドラム３１０は中空の円筒形状を有しており、フレーム３２０に回転自在に保持されている。この記録装置１５１においては、このドラム３１０の回転方向が主走査方向となり、ストライプ形状の延在方向がドラム３１０の回転に略一致するようにパターンを記録する。
【０１０４】
ドラム３１０はモータの回転軸に連結されてモータによって回転駆動される。記録ヘッド３５０はレーザ光Ｌｂを出射する。このレーザ光Ｌｂが照射された位置の転写シート９０のトナーインクは、受像シート８０の表面に転写される。また、記録ヘッド３５０は、図示しない駆動機構によって、ガイドレール３２２に沿ってドラム３１０の回転軸に平行な方向に直線的に移動することができる。本記録装置１５１においては、この移動方向が副走査方向となる。
【０１０５】
従って、ドラム３１０の回転運動と記録ヘッド３５０の直線移動との組合せによって、受像シート８０を覆う転写シート９０上の所望の位置をレーザ露光することができる。よって、描画用のレーザ光Ｌｂで転写シート９０上を走査して、画像情報に基づいて対応する位置のみをレーザ露光し、ストライプ形状の延在方向がドラム３１０の回転方向に略一致するようにパターン記録することが可能となる。これにより、ドラム３１０の回転方向がストライプ形状の延在方向となるパターン画像を受像シート８０に転写することができる。
【０１０６】
この記録装置１５１においても、ＷＬ＜ＷＰの場合は、主走査方向記録後の次回の主走査方向記録時に、記録スポット列Ｓｐに対するストライプ形状の記録データがない場合に、次に記録するストライプ形状の副走査記録方向上流端に前端記録スポットＳｐ１を位置合わせして、主走査方向に記録する。また、ＷＰ≦ＷＬ≦ＰＰの場合は、主走査方向記録後の次回の主走査方向記録時に、副走査記録方向の上流側の前端記録スポットＳｐ１に対するストライプ形状の記録データがない場合に、次に記録するストライプ形状の副走査記録方向上流端に前端記録スポットＳｐ１を位置合わせして、主走査方向に記録する。さらに、ＰＰ＜ＷＬの場合は、副走査記録方向下流側の後端記録スポットＳｐ２にストライプ形状の記録データがあり、且つ、前端記録スポットＳｐ１と後端記録スポットＳｐ２との間にストライプ形状の記録データがない領域が存在する場合に、後端記録スポットＳｐ２の記録データに対応するストライプ形状を記録しないこととする。これにより、間隔や幅の異なる各種のストライプパターンを、極めて迅速に且つ良好な画質で記録することができる。
【０１０７】
なお、記録媒体は、上記の実施の形態で説明したヒートモードの他に、光熱変換層を有しないフォトンモード材料であってもよい。つまりは、ストライプ形状が記録できる記録媒体であれば、任意の記録媒体を用いても上記と同様の効果を得ることができる。
【０１０８】
また、上記の各実施の形態では、記録ヘッドがレーザ方式である場合を例に説明したが、記録ヘッドは、サーマルヘッド式であってもよい。さらに、本発明の記録方法は、画像の全てがストライプ状のパターンである場合にのみ適用されるものではなく、少なくともストライプ状のパターンを有する画像であれば適用が可能となる。
そして、上記の各実施の形態における記録ヘッドのスポット配列は、１次元に限らず、２次元配列であってもよく、これによっても上記同様の効果を奏することができる。
【０１０９】
【発明の効果】
本発明に係る画像記録方法によれば、記録ヘッドの記録スポット列の副走査方向記録幅をＷＬ、ストライプ形状の副走査方向幅をＷＰ、ストライプパターンの副走査方向ピッチをＰＰとしたときに、ＷＬ＜ＷＰの場合は、主走査方向記録後の次回の主走査方向記録時に、記録スポットに対するストライプ形状の記録データがないときに、次に記録するストライプ形状の副走査記録方向上流端に前端記録スポットを位置合わせして主走査方向に記録し、ＷＰ≦ＷＬ≦ＰＰの場合は、主走査方向記録後の次回の主走査方向記録時に、副走査記録方向の上流側の前端記録スポットに対するストライプ形状の記録データがないときに、次に記録するストライプ形状の副走査記録方向上流端に前端記録スポットを位置合わせして主走査方向に記録し、ＰＰ＜ＷＬの場合は、副走査記録方向下流側の後端記録スポットにストライプ形状の記録データがあり、且つ、前端記録スポットと後端記録スポットとの間にストライプ形状の記録データがない領域が存在する場合に、後端記録スポットの記録データに対応するストライプ形状を記録しないこととした。これにより、全く記録を行わない無駄な主走査動作をなくすことができ、また、１本のストライプ形状の二度の主走査動作による記録を極力なくすことができ、間隔や幅の異なる各種のストライプパターンを、極めて迅速に且つ良好な画質で記録することができる。
【図面の簡単な説明】
【図１】本発明に係る記録装置の概念を表したブロック図である。
【図２】支持体の断面図である。
【図３】図１に示した記録装置の構成図である。
【図４】支持体供給部における支持体の積載状態を表す斜視図である。
【図５】記録ヘッドとステージの動作を説明する平面図である。
【図６】凹部に支持体を収容したステージの断面図である。
【図７】記録媒体供給部と記録部とを表した要部構成図である。
【図８】（ａ）は受像シートの断面図、（ｂ）は転写シートの断面図である。
【図９】ステージに形成された剥離溝と剥離爪を示す説明図である。
【図１０】転写シートの固定動作を説明するステージの断面図である。
【図１１】記録ヘッドと支持体との相対移動方向を表す斜視図である。
【図１２】記録原点位置に固定した記録ヘッドとステージ原点位置との位置関係を表す平面図である。
【図１３】記録ヘッドにより形成される記録スポット列を表す説明図である。
【図１４】記録ヘッドの拡大図を示す図である。
【図１５】記録工程を概念的に表した説明図である。
【図１６】記録スポットの記録方向を表す説明図である。
【図１７】図１６の記録方向による記録過程の説明図である。
【図１８】図１６の記録方向によって一行目の記録が終了した支持体の平面図である。
【図１９】ストライプパターンの各寸法を示す説明図である。
【図２０】記録スポットの副走査方向記録幅がストライプ形状の副走査方向幅よりも小さい場合のストライプパターンの記録方法を説明する説明図である。
【図２１】記録スポットの副走査方向記録幅がストライプ形状の副走査方向幅以上であり、しかも、ストライプパターンの副走査方向ピッチ以下である場合のストライプパターンの記録方法を説明する説明図である。
【図２２】記録スポットの副走査方向記録幅がストライプパターンの副走査方向ピッチよりも大きい場合のストライプパターンの記録方法を説明する説明図である。
【図２３】記録スポットの副走査方向記録幅がストライプパターンの副走査方向ピッチよりも大きい場合において、副走査方向下流側の後端記録スポットに記録データが存在しない場合のストライプパターンの記録方法を説明する説明図である。
【図２４】主走査方向がＹ方向である場合の記録の様子を示す説明図である。
【図２５】不連続のストライプの例を示す説明図である。
【図２６】他の実施の形態に係る記録装置の概念図である。
【図２７】図２６に示した記録部の概略斜視図である。
【図２８】従来のストライプパターンの記録方法を示す説明図である。
【符号の説明】
２９  記録ヘッド
Ｓｐ  記録スポット
Ｓｐ１  前端記録スポット
Ｓｐ２  後端記録スポット
ＷＬ  副走査方向記録幅
ＷＰ  ストライプ形状の副走査方向幅
ＰＰ  ストライプパターンの副走査方向ピッチ
【図１】
2004167995.tif 000003
【図２】
2004167995.tif 000004
【図３】
2004167995.tif 000005
【図４】
2004167995.tif 000006
【図５】
2004167995.tif 000007
【図６】
2004167995.tif 000008
【図７】
2004167995.tif 000009
【図８】
2004167995.tif 000010
【図９】
2004167995.tif 000011
【図１０】
2004167995.tif 000012
【図１１】
2004167995.tif 000013
【図１２】
2004167995.tif 000014
【図１３】
2004167995.tif 000015
【図１４】
2004167995.tif 000016
【図１５】
2004167995.tif 000017
【図１６】
2004167995.tif 000018
【図１７】
2004167995.tif 000019
【図１８】
2004167995.tif 000020
【図１９】
2004167995.tif 000021
【図２０】
2004167995.tif 000022
【図２１】
2004167995.tif 000023
【図２２】
2004167995.tif 000024
【図２３】
2004167995.tif 000025
【図２４】
2004167995.tif 000026
【図２５】
2004167995.tif 000027
【図２６】
2004167995.tif 000028
【図２７】
2004167995.tif 000029
【図２８】
2004167995.tif 000030